(57)【特許請求の範囲】
【請求項１】
コンクリートパネル壁面に設けられた複数の下地材に化粧板を取り付ける構造において、コンクリートパネル壁面に複数の下地材に跨る支持部材を用いることなく、アンカー板と留め具からなる支持部をコンクリートパネル壁面の任意の位置に配して前記下地材を支持する構造であって、該コンクリートパネルに固着されたアンカー板に対し、該下地材が面内方向の左右、上下にスライドおよび回転可能なるよう留め具を介して支持され、該支持部の夫々において該下地材が出入調整されることを特徴とする化粧板の取付構造。
【請求項２】
コンクリートパネルが軽量気泡コンクリートパネルであることを特徴とする請求項１に記載の取付構造。
【請求項３】
複数の化粧板からなる壁面がコンクリートパネル壁面に対し一体に回動可能なるよう下地材の上方移動を拘束する部材を設けないか、あるいは下地材の上方移動を拘束する部材との間にクリアランスを設けたことを特徴とする請求項１または２に記載の取付構造。
【請求項４】
下地材の内面あるいは背面に嵌合された留め具は該下地材に対し上下動および回転可能なるとともにアンカー板に設けられた軌道上を左右にスライド可能なことを特徴とする請求項１，２または３に記載の取付構造。
【請求項５】
下地材、留め具、アンカー板は鋼製薄板からなり、相互の接触部あるいは可動部には、リブ、突起などを設けたことを特徴とする請求項１，２，３または４に記載の取付構造。
【請求項６】
アンカー板に設けたねじ部材によりコンクリートパネル壁面とアンカー板の相対距離を調整可能としたことを特徴とする請求項１，２，３，４または５に記載の取付構造。
【発明の詳細な説明】
【０００１】
【発明の属する技術分野】
本発明は、コンクリートパネルとくにパネルサイズが比較的小さく、また帳壁として汎用される軽量気泡コンクリートパネルに各種化粧板を直接張り付けた化粧板の取付構造に関する。
【０００２】
【従来の技術】
最近では、例えば軽量気泡コンクリート（以下、ＡＬＣと称す）パネルを建物躯体に取り付ける構法としては、地震時における躯体の変形に対しＡＬＣパネルが回転変形し、相互に目地ずれを生じて追従できる構法が主流になりつつある。
一方ＡＬＣパネルの仕上げとして化粧板を設ける方法としては、例えばＡＬＣパネルの外面側あるいは内面側に複数の下地材を設け、セメント系、石膏系、木質系あるいは金属系などの薄板を複数の下地材を跨いで張り、釘、ビスなどの締結具で留め付けた後、重い仕上げではタイル、レンガなどから、軽い仕上げでは化粧シートやクロス張りまで種々の仕上げを施す方法、またこれらの仕上げを予め工場で施した化粧板を留め付ける方法などがある。
【０００３】
しかし、ＡＬＣパネルの面内変形追従性を考慮した上記構法を採用する場合には、建物躯体の変形、ＡＬＣパネルの変形、それに伴う下地材の変形に対し、化粧板が追従できず釘、ビス取付部で損傷したり、化粧板相互の目地にずれを生じてしまう恐れがある。そのため、目地部の仕上げが損傷したり、損傷しないよう化粧板相互の目地を可動、伸縮目地とした場合は、複数の化粧板に跨る連続した仕上げができず、意匠的な制約があった。
【０００４】
このような問題を解決するには、例えば内装においては床や天井の梁にランナーを設け、上下のランナーに下地材を組んで化粧板を張り、コンクリートパネルと下地材を絶縁させる方法がある。しかし、この方法では、下地材の支持スパンが大きくなるため、面外剛性を得るために下地材のメンバーも大きくなって壁厚が厚くなり、また中間部には振れ止めや胴縁などを用いて下地材相互を連結し剛性補強をする必要があり、金物費や施工費もかかり、コンクリートパネルが下地にあることを生かせなかった。
【０００５】
また、下地材の中間をコンクリートパネルに支持させ、かつ地震時の変形を考慮した構造として、特開平１０−１３１４５５号公報に記載されているようにものもあるが、この構造では壁下地に軸支された回動プレートが回動するため、壁下地への取付ビス部分に応力が発生しやすく、とくにＡＬＣパネルのように大きな変位が生じる下地壁や母材強度の比較的小さい下地壁には不適であり、下地材の上下をランナーに支持させる必要があった。
【０００６】
さらに、このような内装工法では一般的なランナーを用いる構造は、基準墨をもとに上下のランナーを位置決めしても、開口の額縁などの出入りに合わせて中間部の微調整が必要であったり、ランナーを取り付けるための溶接やアンカー工事が必要となるなど、施工上の問題があった。また、地震時の躯体の変形に対し、下地材はランナーを定規としてスライドするが、ランナーにより下地材の上下を拘束すると、化粧壁面全体の回転変形ができないため、変形追従性能も十分でなかった。
【０００７】
【発明が解決しようとする課題】
そこで本発明の課題は、このような問題を解決し、例えばＡＬＣパネルのようなコンクリートパネルの仕上げとして用いた場合に、面内変形追従性をはじめとして面外剛性、衝撃耐力、取付部強度、施工性、意匠性、経済性などの点で、最も好適な化粧板の取付構造を提供することである。
【０００８】
【課題を解決するための手段】
上記課題を解決するために鋭意検討した結果、下地材をコンクリートパネル面に直に取り付け、該下地材の支持方法を工夫することで、取付けに用いる部材を簡素化し、本発明に至った。
【０００９】
すなわち本発明は、コンクリートパネル壁面に設けられた複数の下地材に化粧板を取り付ける構造において、コンクリートパネル壁面に複数の下地材に跨る支持部材を用いることなく、アンカー板と留め具からなる支持部をコンクリートパネル壁面の任意の位置に配して前記下地材を支持する構造であって、該コンクリートパネルに固着されたアンカー板に対し、該下地材が面内方向の左右、上下にスライドおよび回転可能なるよう留め具を介して支持され、該支持部の夫々において該下地材が出入調整されることを特徴とする化粧板の取付構造である。
【００１０】
本発明の望ましい実施態様としては、コンクリートパネルが軽量気泡コンクリートパネルである。
また、複数の化粧板からなる壁面がコンクリートパネル壁面に対し一体に回動可能なるよう下地材の上方移動を拘束する部材を設けず、あるいは上方移動を拘束する部材との間にクリアランスを設けたものである。
また、下地材の内面あるいは背面に嵌合された留め具は該下地材に対し上下動および回転可能なるとともにアンカー板に設けられた軌道上を左右にスライド可能としたものである。
下地材、留め具、アンカー板は鋼製薄板からなり、相互の接触部あるいは可動部には、リブ、突起などを設けたものである。
アンカー板に設けたねじ部材によりコンクリートパネル壁面とアンカー板の相対距離を調整可能としたものである。
【００１１】
【発明の実施の形態】
以下、上記取付構造の好ましい実施態様を、ＡＬＣ外壁パネルの内装仕上げとして化粧板を設ける場合について、図１〜図８を用いて説明する。
まず図１は、面内変形追従可能な構法で建物躯体に取り付けたＡＬＣパネルに対し、本発明の取付構造を用いて下地材と化粧板を施工した状態の図である。
図２、図３は、中小地震時および大地震時に建物躯体が変形した時の状態を示した模式図である。
図４、図５は、取付構造の概要を示す斜視図および断面図である。
図６、図７は、取付具の具体的実施例を示した斜視図または組立図である。
図８は、他の取付具の実施例である。
【００１２】
ＡＬＣパネル２は、建物躯体１の梁あるいは柱、間柱に例えば専用ボルトなどにより取り付けられており、地震時の躯体の変形により、ＡＬＣパネル２が回転変形し、目地が相互にずれを生じて追従する構造となっている。化粧板３が取付られる下地材４は、留め具５およびアンカー板６を介してＡＬＣパネル２に直に取付けられる。
【００１３】
ＡＬＣパネル２の回転変形に対し、一体に固着されるアンカー板６は、その固着位置に応じて、例えば図２，図３に示すように、ＡＬＣパネル２の幅方向右側であれば、回転しながら下方に、左側であれば回転しながら上方に移動するが、夫々のアンカー板６がＡＬＣパネル２の幅方向や長さ方向で異なる任意の位置に固着されたとしても、アンカー板６に対して下地材４が左右、上下および回転可能なるよう留め具５を介して支持される構造としたため、ＡＬＣパネル２の変形挙動に影響を受けずに、複数の下地材と複数の化粧板３からなる壁面が、変形前の矩形を保ったまま面内水平方向にスライドできる。
【００１４】
よって、化粧板３に対する下地材４のピッチ、下地材４に対する留め具５およびアンカー板６のピッチは、材料強度などにより適宜定められるが、ＡＬＣパネル２に対するアンカー板６の取付位置を特定する必要がなく、例えばＡＬＣパネル２の幅と下地材４のピッチが異なっていても何ら問題がない。もちろんアンカー板６を本構造のように単一の部材とせず、複数のＡＬＣパネル２に跨って取り付ける通し部材とした場合には、その取付位置が限定されたり、またはＡＬＣパネル２の変形挙動に対し該通し部材が変形するという問題がある。
【００１５】
また、これらの必要な左右、上下、回転運動は、ＡＬＣパネル２に一体に固着したアンカー板６をベースとして留め具５および下地材４の支持部材間で行われるため、アンカー板６とＡＬＣパネル２の接合部には、応力や振動が発生しにくい構造となっており、例えば釘やビスなどのアンカー部材８によりアンカー板６をＡＬＣパネル２に取付けても、取付部強度の信頼性が保てる。
【００１６】
また、本構造はＡＬＣパネル２の上下あるいは中間 に複数の下地材に跨る支持部材、例えばランナー、振れ止め、胴縁などの部材を用いることなく、単一のアンカー板６と留め具５を所定間隔で配して下地材４を支持する構造とし、夫々の該支持部において下地材４が出入調整される。
よって、ＡＬＣパネル２の長さ方向のたわみや隣接するＡＬＣパネル間に出入誤差や不陸がある場合にも、アンカー板６と留め具５による支持部において下地材４の出入調整ができるため、化粧板３に加わる面外方向の力を直接ＡＬＣパネル２に伝達することができる。そのため、壁面の面外剛性が向上し、下地材のメンバーを小さくて壁厚を薄くしたり、また剛性補強部材を省略することができる。
また、壁厚が薄くなることにより、下地材４の中間の弱点部に衝撃が加わった場合にも、衝撃力をＡＬＣパネル２に直に伝達して耐衝撃性能が向上する。
【００１７】
また本構造では、下地材４の上下にランナー材などの通し部材も用いない。
夫々の支持部分において出入調整を行う構造としたため、例えば開口の額縁などとの取り合いなどは、ランナーを用いるよりも微調整が容易となり、また躯体にランナーを取り付けるための溶接工事やアンカー工事が省略できるからである。吹き抜け部などで、化粧板３の自重を床スラブなどでなく、ＡＬＣパネル２に支持させる場合は、Ｌ形のアンカー板を用いて下地材４の下端を支持すればよい。
【００１８】
また、地震時における面内変形追従性からも、下地材４の少なくとも上部をランナーなどを用いて拘束することは好ましくない。図２に示すように、躯体の変形に対し、複数の下地材４および化粧板３からなる壁は矩形を保ったままスライドするが、そのスライド量は、該壁面と躯体や他部材などとの取り合い部に設けたクリアランスの範囲内であり、この範囲を超える大変形時には、壁面がせん断力を負担して何らかの損傷が生じるものと考えられる。それに対し、少なくとも下地材の上部を拘束せず、かつ下地材が上方に移動可能な構造であれば、図３に示すように壁面全体が回転変形して追従することができる。
【００１９】
次に、下地材４、留め具５、アンカー板６の具体的実施例について説明する。
例えば図６に示すように、鉛直方向に配置されて化粧板３が固着される略Ｃ形断面の下地材４と、下地材４の断面方向の内面に嵌合するよう下地材４の開口より幅を大きくする一対の嵌合片５ａと、嵌合片５ａを連結し下地材４の開口より幅を小さくする連結片５ｂからなる略コ字形断面の留め具５と、留め具５を化粧板３の面外方向に支持しＡＬＣパネル２に固着されるアンカー板６とからなり、アンカー板６には留め具５の嵌合片５ａが挿通可能で、連結片５ｂが化粧板３の面内方向にスライド可能なスリット６ａを有する。
【００２０】
下地材４には、留め具５およびアンカー板６が、例えば６００ｍｍピッチなどの所定間隔ごとに装着され、アンカー部材８を用いてＡＬＣパネル２に固着される。アンカー板６には、出入調整ボルト７を螺入するためのめねじが設けられており、出入調整ボルト７にはアンカー部材８挿通用の穴が設けられている。スリット６ａの幅は、留め具５の嵌合片５ａより大きく、かつ地震時における化粧板３の面内変形追従性能を考慮した設計スライド幅を加えたものとする。また、アンカー部材８が釘、ビス、アンカーなどの締結具で、ＡＬＣパネルの目地や内部の鉄筋に干渉しないよう微調整する場合は、その調整代を加えればよい。
【００２１】
留め具５の嵌合片５ａは、化粧板３取付け用のビスに干渉しないよう、ビスの挿通方向に平行な薄板である。また複数の留め具５およびアンカー板６を下地材４に装着した後、施工現場での持ち運びにより、これらが落下しないよう、かつ施工後には、化粧板３が面外方向にがたつくことなく、適度な反力と弾力が加わるよう設計され、下地材４の面外方向に嵌合される。
【００２２】
留め具５およびアンカー板６を下地材４に装着する場合、留め具５の一対の嵌合片５ａの間隔は、下地材４の開口幅より小さく、図７に示すように、嵌合片５ａを下地材４の長さ方向に向けると、該下地材４の開口のどの位置からでも挿入可能である。また該二片の嵌合片５ａの幅と間隔の関係は、挿入後、留め具５を下地材４内で回転可能なるよう設計される。
【００２３】
上記実施例において、留め具５は下地材４の内面において、回転および下地材４の長手方向に上下動が可能であり、かつアンカー板６のスリット６ａを軌道として下地材の断面方向にスライド可能である。よってアンカー板６をＡＬＣパネル２に一体に固着しても、また、ＡＬＣパネル２のどの位置に固着しても、あるいはアンカー板６が施工誤差により多少斜めに固着されても、面内のどの方向にも下地材４が可動であるため、ＡＬＣパネル２の変形挙動に関わらず、複数の化粧板３からなる壁面が応力を負担することなく矩形を保つことができる。また、アンカー板６はＡＬＣパネル２と一体なため、アンカー部材８に過大な応力や動きが生じないため、取付部強度が安定する。
【００２４】
下地材４の出入調整は、アンカー板６とＡＬＣパネル２の間にパッキンなどの飼い物を用いてもよいが、本実施例のようにねじ部材とした方が作業が容易であり望ましい。また、下地材４、留め具５、アンカー板６、ＡＬＣパネル２のどの間で出入調整を行う機構としてもよいが、本実施例のような構造とすれば、アンカー板６とＡＬＣパネル２の間に断熱材なども施工することができ好適である。
【００２５】
下地材４の断面形状は、ハット形でもよいが、本実施例のようにＣ形である方が支持部材を含む専有面積が小さくなり好適である。また、留め具５は、本実施例にように下地材４の内面に嵌合するものでも、リブ部などの背面に嵌合するものとしてもよい。また、留め具は本実施例のように一体ものでなくてもよく、例えば回転とスライド機能を分割して別個の部材としてもよい。
【００２６】
本構造の下地材４、留め具５およびアンカー板６の材質は、限定されるものではないが、一般的には鋼製の薄板からなる成形体とされる。鋼製の場合、下地材の板厚は０．４ｍｍ以上、１．２ｍｍ以下、成形体の厚さは10ｍｍから15ｍｍ程度、その幅は４５ｍｍ程度が望ましい。留め具５およびアンカー板６の板厚は０．８ｍｍ以上、１．２ｍｍ以下のものが望ましい。もちろん、これ以上の厚さのものでもよいが、重くなって落下しやすく、また不経済である。アンカー板６の成形体の厚さは２ｍｍから５ｍｍ程度であり、下地材４の厚さを合計した下地のふかし厚さ（ＡＬＣと化粧板間の隙間）は、１２ｍｍから２０ｍｍ程度が可能となる。
【００２７】
これらの支持部材は、本実施例に示すように、相互の接触部あるいは可動部には、リブや突起を形成することが望ましい。下地材４に装着した留め具４、アンカー板６が施工時の持ち運びにより落下せず、施工後に支持部材間のがたつきが生じない適度な反力と弾性を相互に付与すること、切断面が接触する部分を少なくして可動時のきしみ音を抑えること、夫々の部材の剛性補強をすることなどの効果が得られる。
【００２８】
図８の取付具は、本化粧板の取付構造に用いる取付具の他の実施例を示したものであるが、留め具５（円盤状）およびアンカー板６の形状をこのように変更しても、前記した取付具と同様の構成となり、同様の効果を有するものである。
【００２９】
【発明の効果】
以上のように、本発明は、例えばＡＬＣパネルのように、パネルサイズが比較的小さく、かつ地震時において、例えば夫々のパネルが回転変形などして変形追従する帳壁の内外に、複数の下地材を設け、該下地材に跨る複数の化粧板を取り付けて内外装とする場合に、地震時の非損傷性をはじめとする諸性能を改善した基本取付け構造であり、具体的には以下にような効果を有する。
【００３０】
下地材をコンクリートパネルに直に取り付け、面内方向の左右、上下にスライドおよび回転可能な構造としたため、地震時の躯体の変形に際し、コンクリートパネルの変形挙動に影響を受けず、複数の化粧板からなる壁面が矩形を保って追従できる。また、前記構造の基盤となるアンカー板を単一の部材とし、コンクリートパネルと一体に固着したため、アンカー板をコンクリートパネルの任意の位置に取り付けることができ、かつ取付部強度の信頼性が向上する。
【００３１】
下地材の支持部の夫々において出入調整できる構造としたため、コンクリートパネルの不陸や出入誤差を吸収して面外剛性が向上する。またその結果、壁厚を薄くすることができ、衝撃耐力も向上する。さらに、上下のランナーを用いた構造より、とくに開口まわりなどの細かい出入調整が容易となり、面外剛性の向上により中間の剛性補強材が不要となる。
【００３２】
また、ランナー材などの下地材の上方移動を拘束する部材を設けないことにより、地震時の躯体の変形に際し、化粧板壁面全体が水平方向のスライド変形のみならず、回転変形できるようになり、より大きな変形にも追従することができる。
【図面の簡単な説明】
【図１】本発明の取付構造の立面図である。
【図２】本発明の取付構造が建物躯体中小変形時に生じる動きを示す模式図である。
【図３】本発明の取付構造が建物躯体大変形時に生じる動きを示す模式図である。
【図４】本発明の取付構造の実施例の斜視図である。
【図５】本発明の取付構造の縦断面図である。
【図６】本発明の取付構造に用いる取付具の実施例の斜視図である。
【図７】本発明の取付構造に用いる取付具の実施例の組立図である。
【図８】本発明の取付構造に用いる取付具の他の実施例を示す斜視図である。
【符号の説明】
１    建物躯体
２    ＡＬＣパネル
３    化粧板
４    下地材
５    留め具
５ａ  嵌合片
５ｂ  連結片
６    アンカー板
６ａ  スリット
７    出入調整ボルト
８    アンカー部材
【図１】
0004548915.tif 000002
【図２】
0004548915.tif 000003
【図３】
0004548915.tif 000004
【図４】
0004548915.tif 000005
【図５】
0004548915.tif 000006
【図６】
0004548915.tif 000007
【図７】
0004548915.tif 000008
【図８】
0004548915.tif 000009